(57)【要約】  コネクタの終端の周りに装着されたダストキャップ（２０）を有する光ファイバコネクタ（１８）を受け入れるための少なくとも１つの空洞（３０）を有するハウジング（１２）を含む光ファイバコネクタホルダ（１４）である。ハウジングは、光ファイバコネクタに着脱自在に係合するための保持構造と、取り付け場所にハウジングを取り付けるための着脱自在の爪（３４、３６）と、を有する状態において、一体で成型可能である。爪（３４）の中の１つが、取り付けパネルからホルダを解放する際に空洞内部に内向きに押下される可とう性のラッチングアームを有しているため、ハウジングの空洞内における光ファイバコネクタの存在が、取り付け場所からのハウジングの脱落を防止可能である。
2009503582.tif 000002
【特許請求の範囲】
【請求項１】
第１端部、第２端部、及び前記第１及び第２端部間に延出し対向する側部のペアを有するハウジングを備えた光ファイバコネクタホルダであって、
前記ハウジングは、フェルールの周りに取り付けられたダストキャップを含む光ファイバコネクタを受け入れるべく前記第１端部から前記第２端部に延出する空洞を含んでおり、
前記ハウジングの前記第１端部は、前記光ファイバコネクタ及び前記取り付けられたダストキャップが前記空洞内に位置した状態において、前記光ファイバコネクタと係合するべく構成されており、
前記側部のそれぞれは、前記第１端部の近傍から前記第２端部に向かって延出する可とう性のアームと、前記第２端部近傍の固定タブと、を含んでおり、
前記アームは、前記第１端部近傍の前記側部に装着された近端と、前記第１端部に向かって傾いた外部傾斜表面及び前記アームが偏向していない位置にある際に前記固定タブに対向するロッキング表面を有する可動タブを含む遠端部分と、を含んでおり、
前記空洞内において、それぞれのアームは内部表面を有し、且つ、それぞれの側部は内部表面を有し、前記アームの前記内部表面及び前記対応する側部は、前記アームが偏向していない位置にある際には、略揃えられており、
それぞれのアームの前記内部表面は、前記側部の前記内部表面を超えて前記空洞内に延出することにより、前記アームが偏向した位置にある際に前記空洞内への前記光ファイバコネクタの挿入を防止している、ことを特徴とする光ファイバコネクタホルダ。
【請求項２】
前記ハウジングは、光ファイバコネクタを受け入れるべく２つの空洞を含む請求項１記載の光ファイバコネクタホルダ。
【請求項３】
前記ハウジングの前記第１端部は、前記光ファイバコネクタが前記空洞内に配置された際に前記光ファイバコネクタに着脱可能に係合する保持構造を含む請求項１記載の光ファイバコネクタホルダ。
【請求項４】
前記保持構造は、前記光ファイバコネクタの着脱自在の爪に係合するべく構成されている請求項３記載の光ファイバコネクタホルダ。
【請求項５】
前記光ファイバコネクタは、ＬＣコネクタである請求項３記載の光ファイバコネクタホルダ。
【請求項６】
前記ハウジングは、前記取り付けタブ及び保持構造が前記ハウジング内に内蔵された状態において一体で成型されたハウジングである請求項３記載の光ファイバコネクタホルダ。
【請求項７】
前記空洞は、上部が開口した空洞である請求項６記載の光ファイバコネクタホルダ。
【請求項８】
前記空洞は、前記第１端部近傍の前記側部間に延出する第１横断バルクヘッドと前記第２端部近傍の前記側部間に延出する第２横断バルクヘッドを有する上部が開口した空洞である請求項６記載の光ファイバコネクタホルダ。
【請求項９】
前記ハウジングは、２つの空洞を含む請求項６記載の光ファイバコネクタホルダ。
【請求項１０】
２つの前記空洞の間に前記第１端部から前記第２端部に長手方向バルクヘッドが延出している請求項９記載の光ファイバコネクタホルダ。
【請求項１１】
前記空洞は、前記第１端部近傍の前記側部間に延出する第１横断バルクヘッドと第２端部近傍の前記側部間に延出する第２横断バルクヘッドを有する状態において上部が開口しており、前記ハウジングの底部から前記横断バルクヘッドのそれぞれに前記長手方向バルクヘッドが延出している請求項１０記載の光ファイバコネクタホルダ。
【請求項１２】
前記ハウジングは、取り付け場所の開口部内に取り付けられており、前記可動タブ及び前記固定タブは、協働して前記開口部の対向する側壁に係合し、前記開口部内において前記ハウジングを固定している請求項１記載の光ファイバコネクタホルダ。
【請求項１３】
複数の同様に構成された光ファイバコネクタホルダがコネクタホルダアセンブリに取り付けられている請求項１２記載の光ファイバコネクタホルダ。
【請求項１４】
第１端部から第２端部に延出する空洞のペアを含む一体で成型された単一片のハウジングを備えた光ファイバコネクタホルダであって、
前記空洞は、底部、対向する側部のペア、前記側部に平行に且つこれらの間で延出する中央長手方向バルクヘッド、並びに、開口した上部によって規定されており、
前記開口した上部は、前記第１端部近傍の前記側部の間に延出する第１横断バルクヘッドと、前記第２端部近傍の前記側部の間に延出する第２横断バルクヘッドと、を含んでおり、
それぞれの空洞は、前記第１端部近傍に光ファイバコネクタ保持構造を含んでおり、
それぞれの空洞は、前記第１端部を通じて光ファイバコネクタを受け入れ、これに着脱自在に係合するべく構成されており、前記光ファイバコネクタは、前記保持構造に係合するべく着脱自在の爪を含んでおり、
それぞれの側部は、可動タブ及び固定タブを含んでおり、これらのタブは、対向する側壁を有する開口部内において前記ハウジングを着脱自在に取り付けるべく構成された対向する爪を規定している、ことを特徴とする光ファイバコネクタホルダ。
【請求項１５】
それぞれの側部の前記可動タブは、可とう性のアーム上に取り付けられており、前記アームは、前記アームの内部表面が前記空洞の中の１つのものの内部に延出するように、内向きに偏向可能である請求項１４記載の光ファイバコネクタホルダ。
【請求項１６】
前記可とう性のアームの前記内部表面は、前記アームが内向きに偏向している際に前記空洞内への前記光ファイバコネクタの挿入を防止する請求項１５記載の光ファイバコネクタホルダ。
【請求項１７】
前記空洞の中の１つのものの内部に配置された光ファイバコネクタを更に有しており、前記光ファイバコネクタは、前記可とう性のアームの前記内部表面に係合することにより、前記可とう性のアームの内向きの偏向を制限している請求項１５記載の光ファイバコネクタホルダ。
【請求項１８】
それぞれの空洞は、ＬＣフォーマットの光ファイバコネクタを受け入れ、これに着脱自在に係合するべく構成されている請求項１４記載の光ファイバコネクタホルダ。
【請求項１９】
それぞれの空洞は、前記光ファイバコネクタの終端の周りに取り付けられたダストキャップを有する前記光ファイバコネクタを受け入れるべく構成されている請求項１２記載の光ファイバコネクタホルダ。
【請求項２０】
複数の取り付け場所を規定しているアセンブリハウジングと、前記取り付け場所の中の１つに取り付けられた少なくとも１つの光ファイバコネクタホルダと、を備えた光ファイバコネクタホルダアセンブリであって、
前記光ファイバコネクタホルダは、一体で成型された単一片のハウジングを含んでおり、前記ハウジングは、第１端部から第２端部に延出する空洞のペアを含んでおり、
前記空洞は、底部、対向する側部のペア、前記側部に平行であり且つこれらの間で延出する中央長手方向バルクヘッド、並びに、開口した上部によって規定されており、
前記開口した上部は、前記第１端部近傍の前記側部間に延出する第１横断バルクヘッドと、前記第２端部近傍の前記側部間に延出する第２横断バルクヘッドと、を含んでおり、
それぞれの空洞は、前記第１端部近傍に光ファイバコネクタ保持構造を含んでおり、
それぞれの空洞は、前記第１端部を通じて光ファイバコネクタを受け入れ、これに着脱自在に係合するべく構成されており、前記光ファイバコネクタは、前記保持構造に係合するべく着脱自在の爪を含んでおり、
それぞれの側部は、可動タブ及び固定タブを含んでおり、これらのタブは、前記取り付け場所の開口部内に前記ハウジングを着脱自在に取り付けるべく構成された対向する爪を規定している、ことを特徴とする光ファイバコネクタホルダアセンブリ。
【発明の詳細な説明】
【技術分野】
【０００１】
本出願は、光ファイバ通信設備用の光ファイバコネクタホルダに関するものである。
【背景技術】
【０００２】
特定の顧客グループの現在の並びに潜在的な将来のニーズをサポートする通信装置を設置する際には、現在の顧客ベースのみによって必要とされる容量を上回る容量を設置することが望ましいであろう。余分な容量を設置しておくことにより、新規又は既存の顧客用の新規の回線を容易に追加可能である。既存の顧客に対してサービスを提供するのに必要なものを上回る回線を包含するべく、このような余分な容量を有する通信接続キャビネットを製造施設において予め構成し、現場に設置可能である。これらの余分な又は将来の拡張のための回線を顧客に接続する前の段階では、キャビネット内においてパッチコード又はその他の接続ケーブルの保管、整理、及び保護を提供することが望ましい。
【０００３】
このような接続ケーブルは、光ファイバコネクタによって終端された光ファイバパッチコードを包含可能であろう。光ファイバコネクタは、通常はフェルールによって保持された研磨された端面を含んでおり、この結果、別の光ファイバ又は光源との間において信号を送受信するためのコネクタによって保持された光ファイバの位置決めが実現されている。コネクタによって保持された光ファイバとの間の光の伝送を改善するべく、これらの研磨された端面は、可能な限り汚染しないように維持することが望ましい。このような光ファイバとの間の伝送に悪影響を付与可能な汚染には、埃や指紋が含まれるが、これらに限定されるものではない。
【０００４】
光ファイバの研磨された端面を保護するべく、コネクタにダストキャップを提供可能である。しかしながら、このようなダストキャップを装着した場合には、米国特許第５，３１７，６６３号及び米国特許第６，３４７，８８８号に記述されているものなどの既知の光ファイバアダプタ内にコネクタを収容することができない。これらの特許の開示内容は、本引用により、本明細書に包含される。コネクタは、交差接続地点、相互接続地点、又はなんらかのその他のタイプの通信スイッチング又は接続装置の保存又は事前配線のために、ダストキャップが取り外された状態において、これらの既知のアダプタの中の１つのものの内部に挿入可能である。アダプタは、アダプタ内に挿入された単一のコネクタに対してなんらかの汚染に対する保護を提供可能ではあるが、これらのアダプタは、研磨された端面の保護の観点においては、ダストキャップほどに有効ではない。
【０００５】
光ファイバコネクタホルダについては、本出願人による２００３年７月２日付けで出願された「Ｆｉｂｅｒ  ｔｏ  ｔｈｅ  Ｐｒｅｍｉｓｅ  Ｃａｂｉｎｅｔ」という名称の米国特許出願第１０／６１３，７６４号に開示されている。この出願の開示内容は、本引用により、本明細書に包含される。
【０００６】
通信装置内において光ファイバコネクタの研磨された端面を保護するべく、既知の方法及び装置を改善することが好ましい。
【発明の開示】
【０００７】
本発明は、一般的に、光ファイバコネクタホルダに関するものである。更に詳しくは、本発明は、コネクタの終端の周りに装着されたダストキャップを有する光ファイバコネクタを受け入れるための少なくとも１つの空洞（ｃａｖｉｔｙ）を有するハウジングを含む光ファイバコネクタホルダに関するものである。ハウジングは、光ファイバコネクタに着脱自在に係合するための保持構造と、取り付け場所にハウジングを取り付けるための着脱自在の爪と、を有する状態において、一体で成型可能である。ハウジングの空洞内における光ファイバコネクタの存在が、取り付け場所からのハウジングの脱落を防止可能である。
【発明を実施するための最良の形態】
【０００８】
本明細書に包含されると共に、この一部を構成している添付の図面は、本発明のいくつかの態様を示しており、詳細な説明と共に、本発明の原理を説明するのに有用である。これらの図面の簡単な説明は、「図面の簡単な説明」の節に記述されている。
【０００９】
以下、添付の図面に示されている本発明の模範的な態様を詳細に参照することとする。これらの図面においては、可能な限り、同一の参照符号を使用して同一又は類似の部分を示している。
【００１０】
図１〜図３を参照すれば、コネクタホルダアセンブリ又はスライディングアダプタモジュール１０は、ハウジング１２を含んでおり、複数のコネクタホルダ１４がハウジング１２に対して取り付けられている。それぞれのコネクタホルダ１２には、光ファイバケーブル１６のペアが挿入されており、このペアそれぞれは、ケーブルを終端しているコネクタ１８と、ケーブルの終端の周りに取り付けられたダストキャップ２０と、を含んでいる。ハウジング１２は、対向する側壁２２のペアを有しており、このペアそれぞれの内部には、スライディング溝２４が形成されている。このような溝２４は、２００３年７月８日付けで発行された米国特許第６，５９１，０５１号に示されているように、コネクタホルダアセンブリ１０を通信装置に対してスライド可能に取り付けるべく、側部ガイドに係合可能であり、この特許の開示内容は、本引用により、本明細書に包含される。
【００１１】
ハウジング１２の最上部には、側部ガイド内においてコネクタホルダアセンブリ１０を引き上げると共に、コネクタホルダアセンブリ１０のスライド運動を起動及び許容するべく、ピボットハンドル２６が取り付けられている。ハウジング１２の底部には、引っ込んだ又は伸長した位置においてコネクタホルダアセンブリ１０を側部ガイド内に保持するべく動作可能であるスライドハンドル又はクリップ２８が位置している。
【００１２】
図４に示されているように、コネクタ１８は、コネクタホルダ１４内の空洞３０のペア内に受け入れられる。コネクタ１８は、既知の光ファイバアダプタがコネクタ１８に係合する方式と同様の方式において、空洞３０内に係合され、且つ、着脱自在に保持されている。但し、コネクタホルダ１４は、ケーブル１６の終端の周りに装着されたダストキャップ２０を有するコネクタ１８の挿入を許容しており、更には、空洞３０内における単一のコネクタ１８の挿入のみを許容している。既知の光ファイバアダプタは、２つのコネクタ１８を受け入れて光学的に接続するべく構成されているが、図示のように、装着されたダストキャップ２０を有するコネクタ１８を受け入れることは不可能である。
【００１３】
ハウジング１２は、コネクタホルダ１４を受け入れて取り付けるための複数の取り付け場所３２を有している。更に後述するように、コネクタホルダ１４は、コネクタホルダの対向する側部に、偏向（ｄｅｆｌｅｃｔ）可能又は移動可能な取り付けタブ３４と、これに対向する固定された取り付けタブ３６と、を含んでいる。可動タブ３４は、空洞３０内の内側に偏向することにより、取り付け場所３２の中の１つにおいて開口部４０を規定している対向する側壁３８のペア間におけるコネクタホルダ１２の通過を許容している。開口部４０を通じて側壁３８を超えた時点で、可動タブ３４は、その元の偏向していない位置に撥ね戻ることになる。この結果、側壁３８がタブ３４及び３６の間において固定され、コネクタホルダ１４が取り付け位置３２において保持されることになる。
【００１４】
引用した特許及び特許出願に記述されているように、取り付け場所３２には、２つの光ファイバケーブル１６及びコネクタ１８の光学接続に使用される光ファイバアダプタを配置することも可能である。このようなアダプタについては、通信業界において周知である。図１〜図４に示されているように、ハウジング１２は、通信シャーシ、モジュール、ラック、バルクヘッド、又はその他の通信装置又は設備内においてファイバ用の一時的な保持場所を提供するべく構成されている。これらの一時的な保持場所によれば、装着された保護用のダストキャップ２０を有するファイバ１６及びコネクタ１８を保管可能である。実際の光学接続のために、どこか別の場所においてケーブル１６が必要となった場合には、コネクタ１８をコネクタホルダ１４から取り外し、ダストキャップ２０をケーブル１６の終端の周りから取り外した後に、接続を要する場所までケーブル１６を引き回せばよい。すべてのケーブル１６及びコネクタ１８がコネクタホルダ１４の空洞３０から取り外された際には、コネクタホルダ１４をハウジング１２から取り外して破棄するか、又は将来使用するべく残しておくことも可能である。この段階では、空き状態となった取り付け場所３２に、互換性を有するフォームファクタ（ｆｏｒｍ  ｆａｃｔｏｒ）の光ファイバアダプタを配置可能である。
【００１５】
以上の図面に示されているように、ハウジング１２は、コネクタホルダ１４内へのコネクタ１８の挿入軸Ａに対する垂直線から全体的に傾斜している。ハウジング１２は、取り付け場所３２の２つのペアがオフセットされると共に、ペアのそれぞれの開口部４０が互いに略揃えられた（ａｌｉｇｎｅｄ）状態において示されているが、すべての４つの取り付け場所３２を互いにオフセットさせることも可能であると考えられる。このようなコネクタホルダ１４の連続したオフセット構成は、ハウジング１２の角度に略準拠可能であろう。又、引用した特許に示されているように、すべてのコネクタホルダが挿入軸Ａに対して略垂直のライン内に位置した状態において、ハウジング１２を構成することも可能である。
【００１６】
図示のように、コネクタ１８を受け入れるための８つの空洞３０を提供する４つのコネクタホルダ１４が存在している。その他の数のコネクタホルダを提供可能であり、且つ、更に多くの又は更に少ない数のコネクタホルダを収容するべく、必要に応じてハウジング１２を拡張又はその他の方法で変更することも可能である。又、異なるサイズ又は構成のコネクタホルダを取り付けるべく、ハウジング１２を適合させることも可能である。
【００１７】
次に図５〜図９を参照すれば、コネクタホルダ１４は、第１端部４４及び第２端部４６を有するハウジング４２を含んでいる。コネクタ１８は、第１端部４４を通じて空洞３０内に挿入され、ケーブル１６の終端の周りに取り付けられたダストキャップ２０が、空洞３０内において、第２端部４６近傍の位置に延出している。それぞれのコネクタ１８は、着脱自在の爪（ｃａｔｃｈ）１９を含んでいる。
【００１８】
それぞれの空洞３０内には、外部側部５０の内部表面４８が位置しており、この外部側部には、タブ３４及び３６が配置されている。図９に示されているように、コネクタ１８が空洞３０内に配置されると、コネクタ１８は、対応する側部５０の内部表面４８に近接した状態において着座する。コネクタ１８の１つが空洞３０内に配置された状態においては、可動タブ３４は、内側に偏向することはできない。
【００１９】
図８に示されているように、それぞれのタブ３４は、第１端部４４及び爪５４に向かって傾斜した傾斜部３４を含んでいる。爪５４は、固定タブ３６によって規定された爪５６と対向している。爪５４及び５６の間に開口部４０の側壁３８が係合することにより、コネクタホルダ１４を取り付け場所３２に対して固定することになる。コネクタホルダ１４が、取り付け場所３２の中の１つに配置され、且つ、コネクタ１８が空洞３０内に挿入されている際には、可動タブ３４は、内側に偏向してコネクタホルダ１４を解放することはできない。従って、コネクタホルダ１４内におけるコネクタ１８の存在は、取り付け場所３２からのコネクタホルダ１４の偶発的な脱落に対する防衛手段（ｓｅｃｕｒｉｔｙ）を提供している。
【００２０】
次に図１０〜図１１を参照すれば、ハウジング４２は、それぞれの側部５０内に開口部６０を含んでいる。可とう性のアーム６２が、近端６４において側部５０に装着されていると共に、開口部６０内において遠端６６に延出している。可動タブ３４は、遠端６６に近接した状態で取り付けられており、可とう性のアーム６２が内部表面４８を超えて空洞３０内に偏向することにより、コネクタホルダ１４を取り付け場所３２に配置可能である。
【００２１】
又、それぞれの空洞３０は、コネクタ１８の着脱自在の爪１９に係合してコネクタ１８をコネクタホルダ１４に着脱自在に固定する構造６８をも包含可能である。尚、コネクタ１８は、ＬＣフォーマットのコネクタとして示されており、且つ、コネクタホルダ１４も、このフォーマットのコネクタに着脱自在に係合するべく構成されているが、本開示の範囲内において、その他のコネクタのブランド、スタイル、又はフォーマット及び対応する結合構造をハウジング４２上において使用することも可能であると考えられる。
【００２２】
図１２〜図１６は、ハウジング１４２を有するコネクタホルダの第２実施例１１４を示している。コネクタホルダ１１４及びハウジング１４２は、コネクタホルダ１４及びハウジング４２と同様に構成されており、類似の要素には、同一の符号が付与されている。
【００２３】
前述の図１０〜図１６に示されているように、ハウジング４２及び１４２は、それぞれ、第２端部４６の近傍に横断バルクヘッド７４と、第１端部４４の近傍に横断バルクヘッド７６を含んでいる。バルクヘッド７４及び７６の間には、空洞３０の上部開口部７８が規定されている。この空洞３０の上部開口部は、ハウジングのそれぞれが、コネクタ係合構造６８と、取り付けタブ３４及び３６との両方を含む一体の単一片の成型品となるように、ハウジング４２及び１４２の相対的に容易な成型を実現するべく提供されている。バルクヘッド７４及び７６は、ハウジング４２及び１４２に対して横方向の強度を提供していると共に、空洞３０の残りの部分が上部開口部を具備できるようにしている。既存のアダプタ及びコネクタホルダは、アダプタ又はコネクタホルダを形成するべくアセンブルされる成型品の別個の部品として提供されるコネクタ係合構造又は取り付けタブを具備可能である。
【００２４】
空洞３０の間で延出しているのは、ハウジング４２及び１４２の底部８２から少なくとも横断バルクヘッド７４及び７６に延出する長手方向バルクヘッド８０である。
【００２５】
図１７及び図１８には、取り付け場所３２においてコネクタホルダ１４を配置又は除去するのに必要な偏向の程度が示されている。図１７に示されているように、偏向していない位置においては、アーム６２は、アーム６２の内部表面７２が内部表面４８と略一致するように、側壁５０と略一致している。コネクタ１８は、干渉を伴うことなしに、空洞３０内に配置又は除去可能である。爪５４及び５６は、互いに対向しており、開口部４０の側部３８を保持する位置にある。
【００２６】
取り付け場所３２にコネクタホルダ１４を配置又は除去するためには、可動タブ３４を内側に押下することにより、アーム６２の内部表面７２が壁５０の内部表面４８から空洞３０の中へ内向きに位置するように、近端６４を中心としてアーム６２を偏向させる。このような偏向は、空洞３０内にコネクタ１８が位置している状態においては不可能であろう。最も外側の延出部７０が壁５０と略揃うように可動タブ３４を十分内側に押下することにより、開口部４０の側部３８を爪５４及び５６の間から除去又は配置可能である。アーム６２は、好ましくは、図１８に示されている偏向した場所に押下された後に図１７に示されている偏向していない場所に戻ることになる弾性を有する変形可能な材料から製造されている。
【００２７】
コネクタホルダ１４用の取り付け場所は、装着された保護用のダストキャップを有するコネクタの一時的な保管が望ましい様々な場所に規定可能であると考えられる。コネクタホルダ１４（及び１１４）の構成は、コネクタが空洞３０内に配置されている際の取り付け開口部からの偶発的な脱落に対する防衛手段を提供しており、この結果、このようなコネクタホルダを有する装置は、搬送、取り扱い、設置、又は環境的な障害の際に、通信装置内の予め設置されているケーブルの制御を提供可能である。
【００２８】
本開示によるコネクタホルダ及び取り付け場所は、２００３年４月２９日付けで発行された米国特許第６，５５６，７６３号に記述されているものなどの通信装置の一部であるバルクヘッド内に内蔵可能であると考えられ、この特許の開示内容は、本引用により、本明細書に包含される。又、本発明によるコネクタホルダ及び取り付け場所は、２００３年１月７日付けで発行された米国特許第６，５０４，９８８号、並びに、２００１年７月６日付けで出願された本出願人による米国特許出願第０９／９００，４６５号に記述されているものなどの通信装置の一部である引き出し内に内蔵可能であると考えられ、これらの開示内容も、本引用により、本明細書に包含される。
【００２９】
以上の説明、例、及びデータは、本発明の構成の製造及び使用法の十分な説明を提供している。本発明の精神及び範囲を逸脱することなしに、本発明の多数の実施例を実施可能であるため、本発明の範囲は、添付の請求項に規定されているとおりである。
【図面の簡単な説明】
【００３０】
【図１】本発明によるコネクタホルダアセンブリの斜視図である。
【図２】図１のコネクタホルダアセンブリの第２斜視図である。
【図３】図１のコネクタホルダアセンブリの側面図である。
【図４】図１のコネクタホルダアセンブリの側面断面部分分解図である。
【図５】光ファイバケーブル及びコネクタのペアを有する図１のコネクタホルダの斜視図である。
【図６】図５のコネクタホルダの第２斜視図である。
【図７】図５のコネクタホルダの第１側面図である。
【図８】図５のコネクタホルダの第２側面図である。
【図９】図５のコネクタホルダの側面断面図である。
【図１０】ケーブル及びコネクタが除去された状態における図５のコネクタホルダの斜視図である。
【図１１】図１０のコネクタホルダの第２斜視図である。
【図１２】本発明によるコネクタホルダの代替実施例の端面図である。
【図１３】図１２のコネクタホルダの第１側面図である。
【図１４】図１２のコネクタホルダの第２側面図である。
【図１５】図１２のコネクタホルダの第３側面図である。
【図１６】図１２のコネクタホルダの第４側面図である。
【図１７】図１０のコネクタホルダの側面断面図である。
【図１８】取り付け場所に挿入するべく取り付けタブが内側に偏向した状態における図１７のコネクタホルダの側面断面図である。
【図１】
2009503582.tif 000003
【図２】
2009503582.tif 000004
【図３】
2009503582.tif 000005
【図４】
2009503582.tif 000006
【図５】
2009503582.tif 000007
【図６】
2009503582.tif 000008
【図７】
2009503582.tif 000009
【図８】
2009503582.tif 000010
【図１０】
2009503582.tif 000011
【図１１】
2009503582.tif 000012
【図１２】
2009503582.tif 000013
【図１３】
2009503582.tif 000014
【図１４】
2009503582.tif 000015
【図１５】
2009503582.tif 000016
【図１６】
2009503582.tif 000017
【図１７】
2009503582.tif 000018
【図１８】
2009503582.tif 000019
【国際調査報告】
2009503582.tif 000020
2009503582.tif 000021
2009503582.tif 000022
2009503582.tif 000023
2009503582.tif 000024